(57)【要約】【課題】デジタルカメラで受信したテレビ放送の画像を簡単操作で、しかも、その番組情報を付加しつつ記録すること。【解決手段】全体制御部１９は、受信時刻とチャンネル情報を含む番組情報を検出し、内蔵メモリ１６に記録する。静止画像ファイルもしくは動画像ファイルをメモリカード１２内に保存する際に、画像ファイルに番組情報を対応付けて、例えば、ＥＸＩＦ情報として保存する。もしくは、予めテレビ以外の情報媒体から取得したＥＰＧ情報から、記録した画像ファイルの番組情報を検索し、画像ファイルに対応付けて保存する。【選択図】図２
2007150952.tif 000002
【特許請求の範囲】
【請求項１】
被写体を撮像する撮像手段と、
受信するテレビ放送のチャンネルを設定する設定手段と、
前記テレビ放送を受信した日時を計時する計時手段と、
前記計時手段で計時された日時、および前記設定手段で設定されたチャンネルの情報と受信した前記テレビ放送の映像とを対応付けて記録媒体に記録するように制御する記録制御手段とを有することを特徴とするデジタルカメラ。
【請求項２】
請求項１に記載のデジタルカメラにおいて、
さらに、前記テレビ放送に関する詳細情報を取得するＥＰＧ（Ｅｌｅｃｔｒｏｎｉｃ  Ｐｒｏｇｒａｍ  Ｇｕｉｄｅ）情報取得手段を有し、
前記記録制御手段は、前記計時手段で計時された日時、および前記設定手段で設定されたチャンネル情報を用いて、前記ＥＰＧ情報取得手段を介して取得された情報の中から前記受信したテレビ放送に関する詳細情報を検索して、当該受信したテレビ放送に関する詳細情報を前記映像と対応付けて、前記記録媒体に記録するように制御することを特徴とするデジタルカメラ。
【請求項３】
請求項１または２に記載のデジタルカメラにおいて、
前記記録制御手段は、前記レリーズボタンの撮影準備操作により、テレビ映像を静止画として表示部に表示することを特徴とするデジタルカメラ。
【請求項４】
請求項１乃至３のいずれか１項に記載のデジタルカメラにおいて、
前記記録制御手段は、レリーズボタンの撮影指示操作が所定時間以内のとき、テレビ映像を静止画として記録することを特徴とするデジタルカメラ。
【請求項５】
請求項１乃至４のいずれか一項に記載のデジタルカメラにおいて、
前記記録制御手段は、前記レリーズボタンの撮影指示操作が所定時間以上のとき、テレビ映像を動画像として記録することを特徴とするデジタルカメラ。
【請求項６】
請求項３乃至５のいずれか一項に記載のデジタルカメラにおいて、
前記記録制御手段は、前記レリーズボタンが撮影準備操作されているとき、受信中の前記テレビ放送の音声を出力することを特徴とするデジタルカメラ。
【発明の詳細な説明】
【技術分野】
【０００１】
本発明は、テレビ放送の受信、表示、記録機能を備えるデジタルカメラに関する。
【背景技術】
【０００２】
従来から、液晶モニタが備えられ、動画像の表示が可能なデジタルカメラが知られている。このようなデジタルカメラにテレビチューナを内蔵しテレビ放送を視聴可能としたものが、下記特許文献１に開示されている。
【０００３】
【特許文献１】特開２０００−２３００４号公報
【発明の開示】
【発明が解決しようとする課題】
【０００４】
しかし、デジタルカメラに記録したテレビ放送の画像を再生する際に、記録した画像についての記録時刻やチャンネル等の番組に関する情報が簡単に判別できないために、再生したい画像がすぐに検索できないという問題がある。
【課題を解決するための手段】
【０００５】
（１）請求項１の発明によるデジタルカメラは、被写体を撮像する撮像手段と、受信するテレビ放送のチャンネルを設定する設定手段と、テレビ放送を受信した日時を計時する計時手段と、計時手段で計時された日時、および設定手段で設定されたチャンネルの情報と受信したテレビ放送の映像とを対応付けて記録媒体に記録するように制御する記録制御手段とを有することを特徴とする。
（２）請求項２の発明は、さらに、テレビ放送に関する詳細情報を取得するＥＰＧ（Ｅｌｅｃｔｒｏｎｉｃ  Ｐｒｏｇｒａｍ  Ｇｕｉｄｅ）情報取得手段を有し、記録制御手段は、計時手段で計時された日時、および設定手段で設定されたチャンネル情報を用いて、ＥＰＧ情報取得手段を介して取得された情報の中から受信したテレビ放送に関する詳細情報を検索して、受信したテレビ放送に関する詳細情報を映像と対応付けて記録媒体に記録するように制御することを特徴とする。
（３）請求項３の発明は、請求項１または２に記載のデジタルカメラにおいて、記録制御手段は、レリーズボタンの撮影準備操作により、テレビ映像を静止画として表示部に表示することを特徴とする。
（４）請求項４の発明は、請求項１乃至３のいずれか１項に記載のデジタルカメラにおいて、記録制御手段は、レリーズボタンの撮影指示操作が所定時間以内のとき、テレビ映像を静止画として記録することを特徴とする。
（５）請求項５の発明は、請求項１乃至４のいずれか一項に記載のデジタルカメラにおいて、記録制御手段は、レリーズボタンの撮影指示操作が所定時間以上のとき、テレビ映像を動画像として記録することを特徴とする。
（６）請求項６の発明は、請求項３乃至５のいずれか一項に記載のデジタルカメラにおいて、記録制御手段は、レリーズボタンが撮影準備操作されているとき、受信中のテレビ放送の音声を出力することを特徴とする。
【発明の効果】
【０００６】
本発明によれば、受信したテレビ放送から検出した番組情報を、記録されたテレビ画像に対応付けて記録することができる。
【発明を実施するための最良の形態】
【０００７】
―第一の実施形態―
以下で、図１〜６を用いて、本発明によるＴＶチューナ付きデジタルカメラの第一の実施の形態を説明する。
図１に、本発明によるＴＶチューナ付きデジタルカメラの外観を、図２にＴＶチューナ付きデジタルカメラのブロック図を示す。ＴＶチューナ付きデジタルカメラは、デジタルカメラとしての機能とＴＶチューナとしての機能とを備えている。なお、便宜上、これらの機能を主として実現する要素を総称してデジタルカメラ部およびＴＶチューナ部と呼ぶ。
【０００８】
デジタルカメラ部は、レンズ１４と、ＣＣＤやＣＭＯＳなどで代表される撮像素子１５と、ユーザによって操作されるレリーズボタン１０や各種設定操作を行う十字キー１８と、撮像した画像を一時的に記憶する内蔵メモリ１６と、撮影に関する各種制御や種々の画像処理を実行するためのＣＰＵやその周辺回路を含む全体制御部１９と、不図示のバックライトを用いて撮像した画像の再生表示、スルー画の表示、および各種設定メニューを表示する液晶モニタ１１と、撮像画像を保存するためのメモリカード１２を挿入するメモリカードスロット１２ａとを備えている。メモリカード１２はカメラ本体に内蔵されるものであってもよい。
【０００９】
なお、液晶モニタ１１は有機ＥＬ（エレクトロルミネセンス）などの自発光素子を用いたモニタであってもよい。半押しスイッチ１０ａは、レリーズボタン１０の操作に連動し、半押し操作信号を全体制御部１９へ出力する。半押し操作信号は、レリーズボタン１０が全ストロークの半分程度までの押下操作に対応してオンし、半ストロークの押下操作解除でオフする。全押しスイッチ１０ｂは、レリーズボタン１０の操作に連動し、全押し操作信号を全体制御部１９へ出力する。全押し操作信号は、レリーズボタン１０が全ストローク押下操作に対応してオンし、全ストロークの押下操作解除でオフする。
【００１０】
また、３１は、撮像素子１５から出力されるアナログ画像信号をデジタル変換するＡ／Ｄ変換器、３２は、デジタル画像信号に各種補正処理を施す補正回路、３３は、補正後のデジタル画像信号（画像データ）を一時的に記憶したりするメモリ、３４は、メモリカード用Ｉ／Ｆ、３５は外部機器用Ｉ／Ｆである。外部機器用Ｉ／Ｆ３５は、たとえば、内蔵メモリ１６あるいは、メモリカード１２に記録された画像データや各種制御信号の通信をパソコンなどと行なうために、外部機器と有線または無線で電気的に接続するためのインタフェースである。なお、図２に示す各種要素には電池１３から給電される。
【００１１】
ＴＶチューナ部は、チューナ２１と、アンテナ２２と、受信したテレビ放送の画像にデジタル処理を加える処理回路２３と、テレビ放送の音声出力をするためのスピーカ２６と、音声増幅用のアンプ２５とを備える。テレビ放送に関する各種制御等を実行する全体制御部１９と、受信したテレビ画像を表示する液晶モニタ１１と、十字キー１８とはデジタルカメラ部で用いる要素と共通である。なお、図２の操作部２０は、上記十字キー１８を含む各種操作部材を代表して示す。十字キー１８は、カメラ使用時はズームボタンなどに用いられ、テレビ使用時はチャンネル選択やボリューム（音量）調節として用いられる。操作部２０としてモード切替スイッチ２４も設けられ、このモード切替スイッチ２４により、「カメラモード」と「テレビモード」の切り替え操作を行う。
【００１２】
上記構成を備えるＴＶチューナ付きデジタルカメラの動作を以下で説明する。
モード切替スイッチ２４で「カメラモード」を選択すると、デジタルカメラとしてのみ機能するための種々の処理が実行される。
カメラモードにおいては、レンズ１４を透過した被写体光束は、撮像素子１５の受光面に結像され、撮像素子１５は、結像された被写体像の光強度に応じた画像信号を出力する。画像信号は、Ａ／Ｄ変換器３１によりデジタル信号に変換された後、補正回路３２で種々の補正が施される。補正された画像データは一次バッファであるメモリ３３に一時的に格納される。メモリ３３に格納された画像データは、全体制御部１９でさらに画像処理されて、ＪＰＥＧなどにより圧縮処理され、二次バッファである内蔵メモリ１６に記録される。記録媒体であるメモリカード１２が装着されている場合には、内蔵メモリ１６からメモリカード１２に撮影された画像データが転送されて記録される。
【００１３】
撮影画像を再生する場合、内蔵メモリ１６またはメモリカード１２に記録された画像データは、全体制御部１９を介してＶＲＡＭ１７に転送され、液晶モニタ１１に表示される。また、撮影待機状態では、所定時間間隔で撮影して得られた画像データが内蔵メモリ１６に順次記憶されるとともに、全体制御部１９を介してＶＲＡＭ１７に転送され、液晶モニタ１１にリアルタイムで表示される。これにより撮影者は液晶モニタ１１に表示された画像により被写体を動画像として視認することができる。なお、ＶＲＡＭ１７は液晶モニタ１１に再生表示される画像データの表示用バッファメモリであり、液晶モニタ１１の画素数に対応した画像データの記憶容量を有している。
【００１４】
モード切替スイッチ２４で「テレビモード」を選択すると、テレビとしてのみ機能するための種々の処理が実行される。テレビモードにおいては、アンテナ２２からのテレビ信号をチューナ２１で受信し、音声信号と映像信号とを出力する。音声信号はアンプ２５により増幅されて、スピーカ２６から出力される。映像信号に対しては、処理回路２３において表示用デジタル処理が施される。表示用デジタル処理が加えられた映像信号は、内蔵メモリ１６に画像データとして一時的に記憶され、全体制御部１９を介してＶＲＡＭ１７に転送され、液晶モニタ１１に表示される。なお、チューナ２１のチャンネル設定は、十字キー１８の操作結果に応じて全体制御部１９により制御される。
【００１５】
上記のようにテレビモードにてテレビ放送受信、画像表示中にユーザによりレリーズボタン１０が操作されると、受信中のテレビ画像が記録される。この動作を詳細に説明する。
（半押し操作）
ユーザ操作によりレリーズボタン１０が半押し操作されると、全体制御部１９は、半押しスイッチ１０ａからの半押し操作信号を入力する。その入力した時点でチューナ２１より受信されたテレビ画像は、メモリ３３に一時的に格納され、静止画像（フリーズ画像）として液晶モニタ１１に表示される。なお、音声については、受信中のものをスピーカ２６から送出させ続ける。
【００１６】
（全押し短時間操作）
上記状態からユーザ操作によりレリーズボタン１０がさらに押し込まれ、全押しスイッチ１０ｂが短時間だけオンされた場合は、半押し操作でモニタ上に表示されている静止画が内蔵メモリ１６に記録される。さらに、全体制御部１９に内蔵される計時手段（時計）によるテレビ放送受信時の計時結果（日時情報）と、操作部２０で設定された受信チャンネル情報等からなる番組情報とが、内蔵メモリ１６うちの静止画像ファイル記録領域とは異なる番組情報記録領域に、記録した静止画像と対応付けされて記録される。なお、検出される番組情報は最低限、時刻とチャンネル情報を含むが、これらだけに限定されるものではない。テレビ放送波として送信されるデータであって、番組のタイトル、番組のジャンル、出演者など番組の内容に関連するものであればどのような情報が含まれてもよい。
【００１７】
また、レリーズボタン１０の操作が解放され、全体制御部１９が全押し操作信号も半押し操作信号も入力していない場合には、通常のテレビモードに戻り、受信中のテレビ画像を液晶モニタ１１に表示する。
【００１８】
テレビ放送の映像データがＭＰＥＧ（Ｍｏｖｉｎｇ  Ｐｉｃｔｕｒｅ  Ｅｘｐｅｒｔｓ  Ｇｒｏｕｐ）による圧縮形態の場合における静止画像の記録について説明する。
ＭＰＥＧフォーマットでは、早送り／早戻し再生をはじめとする特殊再生や編集処理に対応するため、最小アクセス単位としてＧＯＰ（Ｇｒｏｕｐ  ｏｆ  Ｐｉｃｔｕｒｅ）が規定され、このＧＯＰのシーケンスにより圧縮画像データが形成されている。
【００１９】
図３に示すように、１つのＧＯＰは複数種のピクチャ、すなわちＩピクチャ、Ｂピクチャ、Ｐピクチャから構成される。Ｉピクチャは、フレーム全体をフレーム内圧縮して記録するものであり、１つのＧＯＰ内には、データ位置の先頭に少なくとも１つのＩピクチャを含んでいる。Ｐピクチャは、過去のＩピクチャまたはＰピクチャから動きを予測し、実際の画像と動き予測画像との差分（予測誤差）を記録するフレームであるため、データ量は少なくなる。Ｂピクチャは、過去と未来のフレームから動きを予測し、実際の映像と画像と動き予測画像との差分（予測誤差）を記録するフレームである。
【００２０】
上記のように、Ｉピクチャとは異なりＰピクチャおよびＢピクチャの再生は単体では行えず、少なくともＩピクチャの再生画像を得ることが必要になる。すなわち、Ｐピクチャ、Ｂピクチャを再生するためには、２段階以上の復号化処理が必要となる。このため、図４に示すように、レリーズボタン１０の押下操作が行われた時点から直近で次のＩピクチャの画像を静止画像として取り込み、ＥＸＩＦ（Ｅｘｃｈａｎｇｅａｂｌｅ  Ｉｍａｇｅ  Ｆｉｌｅ  Ｆｏｒｍａｔ）形式のファイルとして内蔵メモリ１６に記録する。なお、記録されるファイル形式は、ＥＸＩＦ形式に限定されるものではない。
【００２１】
なお、ＥＸＩＦ形式とは、ＪＥＩＤＡ（日本電子工業振興協会）によって策定された画像ファイル形式であり、ＪＰＥＧ（Ｊｏｉｎｔ  Ｐｈｏｔｏｇｒａｐｈｉｃ  Ｅｘｐｅｒｔｓ  Ｇｒｏｕｐ）画像フォーマットの画像データ内に、サムネイル画像や撮影情報などのデータを埋め込むことができるようにしたものである。ＥＸＩＦ形式の画像ファイルは、図５に示すように、画像の付属情報を記録するタグ領域２０１と撮影画像データを記録する画像データ領域２０２とを有する。
【００２２】
（全押し長時間操作）
ユーザ操作によりレリーズボタン１０が長押しされた場合について説明する。この場合、全体制御部１９は、半押し操作開始から全押し操作終了までの期間中に、チューナ２１で受信されたテレビ画像を動画像ファイルとして内蔵メモリ１６内に記録する。また、静止画像の記録と同様に番組情報を検出し、動画像と対応付けて内蔵メモリ１６内に記録する。
【００２３】
上記のようにして記録した静止画像ファイルもしくは動画像ファイルをメモリカード１２に保存する際に、取得した番組情報を画像ファイルに関連付けて保存する。番組情報をＥＸＩＦファイル内に埋め込む場合には、ＥＸＩＦ形式において定められているタグを付して番組情報のデータの文字列を挿入する。この場合、タグとして、たとえば、すでにＥＸＩＦ形式で定められているＩｍａｇｅ  Ｄｅｓｃｒｉｐｔｉｏｎタグ（画像の説明文章が後に続くことを示すタグ）のようにタグの後ろに番組情報のデータを置くようにしてもよいし、新たなタグをメーカー定義などの形で定義して、そのタグを用いるようにしてもよい。また、画像ファイル内に番組情報のデータを埋め込む方法としては、ＥＸＩＦデータ形式に則った方法に限らず、さまざまなフォーマットで実現することが可能である。
【００２４】
以下で、図６に示すフローチャートを用いて、受信したテレビ放送の記録動作について説明する。図６の各処理手順は全体制御部１９でプログラムを実行して行われる。
モード切替スイッチ２４によりテレビモードが選択されている場合について説明する。ステップＳ１では、チューナ２１を起動しテレビ放送を受信させてステップＳ２へ進む。ステップＳ２では、チューナ２１で受信したテレビ映像を液晶モニタ１１に表示させて、ステップＳ３へ進む。
【００２５】
ステップＳ３では、半押しスイッチ１０ａの押下操作が行われることを待機している。この状態でレリーズボタン１０が押下操作され、半押しスイッチ１０ａから半押し操作信号が入力されたことが判定された場合にステップＳ４に進む。
【００２６】
ステップＳ４では、ステップＳ３においてレリーズボタン１０が半押しされた時点でチューナ２１が受信しているテレビ映像を、静止画像ファイルとして一時的にメモリ３３に格納する。なお、図４により上述したように、レリーズ半押し後、最初のＩピクチャを静止画像ファイルとして一時記憶する。静止画像（フリーズ画像）ファイルの画像データに基づいて、液晶モニタ１１に静止画像を表示する。さらに、チューナ２１で受信しているテレビ放送の音声はスピーカ２６からの出力を継続し、ステップＳ５へ進む。また、半押し信号が入力された時点から、後述する動画像記録用ファイルの記録も開始する。
【００２７】
ステップＳ５では、レリーズボタン１０の半押し操作が継続しているか否かを判定する。肯定された場合、すなわち半押しスイッチ１０ａから半押し操作信号を入力していると判定された場合は、ステップＳ６へ進む。否定された場合、すなわち半押し操作信号を入力していないと判定された場合は、ステップＳ２へ戻り、受信中のテレビ映像を液晶モニタ１１に表示させる。
【００２８】
ステップＳ６では、レリーズボタン１０が全押しになったか否かを判定する。肯定された場合、すなわち全押しスイッチ１０ｂから全押し操作信号を入力したと判定された場合は、ステップＳ７へ進む。否定された場合、すなわち半押し操作信号を入力していると判定された場合は、ステップＳ４に戻る。
【００２９】
ステップＳ７では、ステップＳ６において全押し操作信号を入力すると同時に、タイマを起動させて押下時間の計測を開始し、前述の番組情報を取得して内蔵メモリ１６に記録し、ステップＳ９へ進む。なお、タイマは全体制御部１９内に備えられているものとする。
【００３０】
ステップＳ９では、レリーズボタン１０の操作がオフになったか否かを判定する。否定された場合、すなわち全押し操作信号を入力していると判定された場合は、そのまま待機する。肯定された場合、すなわち全押し操作信号を入力していないと判定された場合は、ステップＳ１０へ進む。
【００３１】
ステップＳ１０では、ステップＳ４で開始した動画像ファイルのメモリ３３への格納を終了する。さらに、タイマを停止させステップＳ７で開始した時間計測を終了して、ステップＳ１１へ進む。ステップＳ１１では、タイマで計測したレリーズボタン１０の全押し操作時間ｔを読み込み、ステップＳ１２へ進む。
【００３２】
ステップＳ１２では、レリーズボタン１０の全押し操作時間ｔと、閾値としての時間Ｔとについて、ｔ＜Ｔが成立するか否かについて判定を行う。ステップＳ１２での処理が肯定された場合、すなわち、レリーズボタン１０に対する全押し操作の時間ｔが時間Ｔより短いと判定された場合には、ステップＳ１３へ進む。否定された場合、すなわち、レリーズボタン１０に対する全押し操作の時間ｔが時間Ｔ以上となる、いわゆる長押し状態と判定された場合に、ステップＳ１４へ進む。
【００３３】
ステップＳ１３では、レリーズボタン１０がステップＳ３において全押し操作された時点でメモリ３３に一時記録されていた静止画像ファイルを内蔵メモリ１６に記録して、ステップＳ１５へ進む。一方、ステップＳ１４では、レリーズボタン１０を長押ししている期間にメモリ３３に一時記録された動画像ファイルを内蔵メモリ１６へ記録して、ステップＳ１５へ進む。
【００３４】
ステップＳ１５では、受信した番組に関する番組情報を、内蔵メモリ１６内の静止画像ファイルまたは動画像ファイルが存在する領域とは異なる領域に、それら画像ファイルと対応付けて記録する。番組情報を記録したらステップＳ１６へ進む。なお、番組情報には少なくとも受信時刻、あるいは記録時刻とチャンネル情報とが含まれているものとする。
【００３５】
ステップＳ１６では、内蔵メモリ１６に記録された静止画像ファイルもしくは動画像の記録ファイルの保存を促すコマンドを液晶モニタ１１へ表示する。ユーザがこのコマンドに従い保存操作を行った場合は、ステップＳ１７へ進む。保存を行わない場合は、記録ファイルを破棄し、画像記録動作を終了して、通常のテレビモードとして受信中のテレビ画像を液晶モニタ１１に表示する。
【００３６】
ステップＳ１７では、静止画像ファイルもしくは動画像ファイルを内蔵メモリ１６から読み出し、個々のカメラが持つＩＤ番号等を用いて暗号化処理を加える。本処理を行うことで、画像ファイルを他のカメラやコンピュータへ転送して再生することが不可能になる。すなわち、この暗号化処理は著作権保護処理である。暗号化処理が施された画像ファイルを内蔵メモリ１６内へ記録し、ステップＳ１８へ進む。
【００３７】
ステップＳ１８では、ステップＳ１７で暗号化処理された画像ファイルとステップＳ１５で記録した番組情報とを内蔵メモリ１６から読み出し、画像ファイルと番組情報とを関連付けて、ＥＸＩＦ情報としてメモリカード１２へ保存する。メモリカード１２への保存が終了すると、再び受信中のテレビ映像を液晶モニタ１１に表示し、通常のテレビモードとして動作する。
【００３８】
以上で説明した第一の実施の形態によるＴＶチューナ付きデジタルカメラによれば、以下の作用効果が得られる。
（１）最低限時刻やチャンネル情報を含む受信したテレビ放送に関する番組情報を、記録した静止画像ファイルまたは動画像ファイルに、たとえばＥＸＩＦ情報として対応づけて記録することができるようにした。このため、複数の画像ファイルが記録されている場合であっても、再生すべき画像ファイルの検索が容易にできる。
【００３９】
（２）テレビ画像表示中にレリーズボタン１０を半押しすると、レリーズボタン１０を半押ししている間は液晶モニタ１１の表示は静止画像とし、音声はチューナ２１で受信中のものを出力するようにした。また、半押しを解除すれば通常のテレビ放送を表示し、さらに押し込んで全押しとすれば、表示していた画面を静止画像として記録し、長押しであれば動画像として記録するようにした。これにより、記録するほどではないが画面を止めたい、または記録する前に画面を確認したい等の使用方が可能になる。半押しという動作が記録の前動作に相当することで、従来のカメラにおけるＡＦ／ＡＥ動作に直感的に類似しており、操作として覚えやすい。
【００４０】
（３）画像記録操作を行うボタンとレリーズボタン１０とを共通部材とした。これにより、ボタンを別設する場合に比べ、使用者の操作性が向上する。さらに、ボタン設置のために必要となるスペースの節約およびコストの削減が可能となる。
（４）記録した静止画像ファイルまたは動画像ファイルに暗号化処理を加えることで、記録を行ったカメラでのみ再生が可能にするようにした。これにより、著作権が存在する放送内容であっても、再生を当該機器に制限することができる。
【００４１】
―第二の実施形態―
以下で、本発明によるＴＶチューナ付きデジタルカメラの第二の実施の形態について説明する。なお、全体構成は図１および図２に示したものと同様とする。
第二の実施の形態では、別途インターネットなどからＥＰＧ（Ｅｌｅｃｔｒｏｎｉｃ  Ｐｒｏｇｒａｍ  Ｇｕｉｄｅ）情報を取得する。
【００４２】
電子番組情報は次のようにして取得することができる。外部Ｉ／Ｆ３５とパーソナルコンピュータとを、たとえば、ＵＳＢ規格に準拠したケーブルなどで接続し、インターネット上のＥＰＧサイトからＥＰＧ情報をダウンロードする。全体制御部１９は、ＥＰＧサイトからダウンロードしたＥＰＧ情報を内蔵メモリ１６内のＥＰＧ記録領域内に記録する。なお、パーソナルコンピュータとの接続はケーブルのみに限定されるものではなく、フラッシュメモリーなどのような記憶媒体を用いてもよい。なお、ＥＰＧ情報をパーソナルコンピュータに接続して取得する構成に限定されるものではなく、携帯電話などの情報機器から取得するものであってもよい。また、無線ＬＡＮ搭載のデジタルカメラであれば、無線で取得することもできる。
【００４３】
以下で、第二の実施の形態の動作を図７に示すフローチャートを用いて説明する。なお、図６のフローチャートにおける処理と同一内容の処理を行うものに関しては、同じ処理番号を付し説明を省略する。図７の各処理手順も、上述したようにテレビモード選択時に全体制御部１９でプログラムを実行して行われる。
【００４４】
ステップＳ１５における番組情報記録が終了したら、ステップＳ１９へ進む。ステップＳ１９では、内蔵メモリ１６にＥＰＧ情報が記録されているか否かを判定する。肯定された場合、すなわち、ＥＰＧ情報が記録されていると判定された場合はステップＳ２０へ進む。否定された場合、すなわち、ＥＰＧ情報が記録されていないと判定された場合はステップＳ１６へ進み、第一の実施の形態と同様の手順で番組情報と画像ファイルを関連付けて記録する。
【００４５】
ステップＳ２０では、内蔵メモリ１６から番組情報とＥＰＧ情報を読み出し、ステップＳ７で取得した番組情報（時刻とチャンネル情報）を用いて、該当する時刻とチャンネルにおける詳細な番組情報をＥＰＧ情報から検索して、ステップＳ２１へ進む。なお、詳細な番組情報は、番組のタイトル、番組のジャンル、出演者など番組の内容に関連するものであればどのような情報が含まれてもよい。
【００４６】
ステップＳ２１では、ステップＳ２０で検索された詳細な番組情報を、内蔵メモリ１６の番組情報記録領域内の検索に用いた時刻とチャンネル情報が記録されている領域に上書きしてステップＳ１６へ進み、第一の実施の形態と同様の手順により、詳細な番組情報と画像ファイルを関連付けて記録する。
【００４７】
なお、上記の説明では、番組情報がＥＰＧ情報から検索された詳細な情報に自動的に置き換えられ、画像データに関連付けて記録されるようにしたが、ユーザ操作により、すなわち、ユーザと対話形式で番組情報をＥＰＧ情報に置換するようにしてもよい。この場合、上記ステップＳ２０でＥＰＧ情報を読み出した後、「番組情報を記録しますか」などのメッセージと共にＥＰＧ情報を液晶モニタ１１に表示し、ユーザ操作によりＥＰＧ情報の記録を選択できるようにする。また、記録するＥＰＧ情報の内容、すなわち番組タイトルや番組ジャンルや出演者などの情報の中から、記録したい情報をユーザ操作で選択できるようにしてもよい。
【００４８】
以上で説明した第二の実施の形態によるＴＶチューナ付きデジタルカメラによれば、第一の実施の形態で得られる作用効果に加えて、以下の作用効果を得られる。
テレビ放送以外の伝送媒体（たとえば、インターネット、着脱可能な記録媒体、テレビ放送とは周波数の異なる電波）を用いて予めＥＰＧ情報を取得し、計時手段によって計時された時刻と設定されたチャンネルの情報とをもとに、ＥＰＧ情報から受信番組に関する詳細な番組情報を検索して、その詳細な番組情報を画像ファイルに対応付けて記録するようにした。このため、詳細な番組情報が画像ファイルに付加されるので、再生したい画像を検索する場合の情報量が増えることになり、画像データの検索が容易になる。
【００４９】
上記、第一の実施形態、第二の実施形態においては、レリーズボタン１０の半押し操作開始から、チューナ２１で受信されたテレビ画像を動画ファイルとして内蔵メモリ１６内に記録する構成について説明したが、レリーズボタン１０が全押し操作された場合、あるいはレリーズボタン１０の全押し操作が所定時間（たとえば１秒）以上継続した場合に、チューナ２１で受信されたテレビ画像を動画像ファイルとして内蔵メモリ１６内に記録する構成としてもよい。内蔵メモリ１６としてハードディスク記録媒体や半導体メモリを用いてもよい。なお、ハードディスク記録媒体はカメラに着脱可能としてもよい。
【００５０】
なお、本発明の特徴を損なわない限り、本発明は上記実施の形態に限定されるものではなく、本発明の技術的思想の範囲内で考えられるその他の形態についても、本発明の範囲内に含まれる。
【図面の簡単な説明】
【００５１】
【図１】本発明によるＴＶチューナ付きデジタルカメラを説明する外観図であり、（ａ）は上面図、（ｂ）は背面図を示す。
【図２】本発明によるＴＶチューナ付きデジタルカメラを説明するブロック図である。
【図３】動画像の圧縮形態を説明する図である。
【図４】静止画像の記録要領を説明する図である。
【図５】ＥＸＩＦ形式のファイル構成を説明する図である。
【図６】本発明による第一の実施の形態の動作を説明するフローチャートである。
【図７】本発明による第二の実施の形態の動作を説明するフローチャートである。
【符号の説明】
【００５２】
１０  レリーズボタン                １１    液晶モニタ
１２  メモリカード                  １３    電池
１４  レンズ                        １５    ＣＣＤ
１６  内蔵メモリ                    １８    十字キー
１９  全体制御部                    ２１    チューナ
２２  アンテナ                      ２３    処理回路
２４  モード切替スイッチ            ２６    スピーカ
【図１】
2007150952.tif 000003
【図２】
2007150952.tif 000004
【図３】
2007150952.tif 000005
【図４】
2007150952.tif 000006
【図５】
2007150952.tif 000007
【図６】
2007150952.tif 000008
【図７】
2007150952.tif 000009